(57)【要約】【課題】無線通信システムのユーザー端のサービンググラント（ＳＧ）を設定し、無線資源の浪費やシステム過負荷を防止する方法を提供する。【解決手段】方法は、非サービング相対グラント（ＮＳＲＧ）メッセージを受信するときに最大ＳＧを定め、最大ＳＧに基づいてＳＧを更新するステップからなる。【選択図】図５
2008072723.tif 000002
【特許請求の範囲】
【請求項１】
無線通信システムのユーザー端においてサービンググラント（ＳＧ）を設定する方法であって、
非サービング相対グラント（ＮＳＲＧ）メッセージを受信するときに最大ＳＧを定め、
最大ＳＧに基づいてＳＧを更新するステップからなることを特徴とするユーザー端のＳＧ設定方法。
【請求項２】
前記最大ＳＧに基づいてＳＧを更新するステップは、
最大ＳＧと現在ＳＧのうちの最小値をＳＧとして更新することを内容とすることを特徴とする請求項１記載のユーザー端のＳＧ設定方法。
【請求項３】
前記ＮＳＲＧメッセージを受信するときに最大ＳＧを定めるステップは、
ＮＳＲＧメッセージと基準値に基づいて最大ＳＧを定めることを内容とすることを特徴とする請求項１記載のユーザー端のＳＧ設定方法。
【請求項４】
前記基準値は前のＴＴＩ（伝送時間間隔）に対応するＳＧであることを特徴とする請求項３記載のユーザー端のＳＧ設定方法。
【請求項５】
前記ＮＳＲＧメッセージと基準値に基づいて最大ＳＧを定めるステップは、
ＮＳＲＧメッセージと基準値に基づいてＳＧ調整結果を定め、
ＳＧ調整結果に基づいて最大ＳＧを定めるステップを含むことを特徴とする請求項３記載のユーザー端のＳＧ設定方法。
【請求項６】
前記ＮＳＲＧメッセージと基準値に基づいてＳＧ調整結果を定めるステップは、ＮＳＲＧメッセージがユーザー端のＳＧを引き下げるように指示する場合に、基準値から所定値を引いた値をＳＧ調整結果にすることを内容とすることを特徴とする請求項５記載のユーザー端のＳＧ設定方法。
【請求項７】
前記ＮＳＲＧメッセージと基準値を受信するときに最大ＳＧを定めるステップは、
ＮＳＲＧタイマーが動作する間に、現在の最大ＳＧ、ＮＳＲＧメッセージ、及び基準値に基づいて最大ＳＧを定めることを内容とすることを特徴とする請求項１記載のユーザー端のＳＧ設定方法。
【請求項８】
前記最大ＳＧ、ＮＳＲＧメッセージ、及び基準値に基づいて最大ＳＧを定めるステップは、
ＮＳＲＧメッセージと基準値に基づいてＳＧ調整結果を定め、
ＳＧ調整結果と現在の最大ＳＧのうちの最小値に基づいて最大ＳＧを定めるステップを含むことを特徴とする請求項７記載のユーザー端のＳＧ設定方法。
【請求項９】
前記ＮＳＲＧメッセージと基準値に基づいてＳＧ調整結果を定めるステップは、ＮＳＲＧメッセージがユーザー端のＳＧを引き下げるように指示した場合に、基準値から所定値を引いた結果をＳＧ調整結果に設定することを内容とすることを特徴とする請求項８記載のユーザー端のＳＧ設定方法。
【請求項１０】
無線通信システムにおいてサービンググラント（ＳＧ）を正確に設定し、無線資源の浪費とシステム過負荷を防止する通信装置であって、
通信装置の機能を実現させる制御回路と、
制御回路の中に設けられ、プログラムコードを実行して制御回路を制御する中央処理装置（ＣＰＵ）と、
制御回路の中でＣＰＵと結合されるように設けられ、プログラムコードを保存するための保存装置とを含み、そのうちプログラムコードは、
非サービング相対グラント（ＮＳＲＧ）メッセージを受信するときに最大ＳＧを定め、
最大ＳＧに基づいてＳＧを更新するステップを含むことを内容とすることを特徴とする通信装置。
【請求項１１】
前記プログラムコードにおいて最大ＳＧに基づいてＳＧを更新するステップは、
最大ＳＧと現在ＳＧのうちの最小値をＳＧとして更新することを内容とすることを特徴とする請求項１０記載の通信装置。
【請求項１２】
前記プログラムコードにおいてＮＳＲＧメッセージを受信するときに最大ＳＧを定めるステップは、
ＮＳＲＧメッセージと基準値に基づいて最大ＳＧを定めることを内容とすることを特徴とする請求項１０記載の通信装置。
【請求項１３】
前記基準値は前のＴＴＩ（伝送時間間隔）に対応するＳＧであることを特徴とする請求項１２記載の通信装置。
【請求項１４】
前記プログラムコードにおいてＮＳＲＧメッセージと基準値に基づいて最大ＳＧを定めるステップは、
ＮＳＲＧメッセージと基準値に基づいてＳＧ調整結果を定め、
ＳＧ調整結果に基づいて最大ＳＧを定めるステップを含むことを特徴とする請求項１２記載の通信装置。
【請求項１５】
前記プログラムコードにおいて、ＮＳＲＧメッセージと基準値に基づいてＳＧ調整結果を定めるステップは、ＮＳＲＧメッセージがユーザー端のＳＧを引き下げるように指示する場合に、基準値から所定値を引いた値をＳＧ調整結果にすることを内容とすることを特徴とする請求項１４記載の通信装置。
【請求項１６】
前記プログラムコードにおいてＮＳＲＧメッセージと基準値を受信するときに最大ＳＧを定めるステップは、
ＮＳＲＧタイマーが動作する間に、現在の最大ＳＧ、ＮＳＲＧメッセージ、及び基準値に基づいて最大ＳＧを定めることを内容とすることを特徴とする請求項１０記載の通信装置。
【請求項１７】
前記プログラムコードにおいて最大ＳＧ、ＮＳＲＧメッセージ、及び基準値に基づいて最大ＳＧを定めるステップは、
ＮＳＲＧメッセージと基準値に基づいてＳＧ調整結果を定め、
ＳＧ調整結果と現在の最大ＳＧのうちの最小値に基づいて最大ＳＧを定めるステップを含むことを特徴とする請求項１６記載の通信装置。
【請求項１８】
前記ＮＳＲＧメッセージと基準値に基づいてＳＧ調整結果を定めるステップは、ＮＳＲＧメッセージがユーザー端のＳＧを引き下げるように指示した場合に、基準値から所定値を引いた結果をＳＧ調整結果に設定することを内容とすることを特徴とする請求項１７記載の通信装置。
【発明の詳細な説明】
【技術分野】
【０００１】
本発明は無線通信システムにおいてサービンググラントを設定する方法及び装置に関し、特に無線資源を節減してシステム過負荷を回避できる方法及び装置に関する。
【背景技術】
【０００２】
第三世代移動通信技術はＷＣＤＭＡ（広帯域符号分割多元接続）方式で高いスペクトル利用効率、カバー率、通話品質及び高速伝送を実現させるとともに、ＱｏＳ（サービス品質）の確保、柔軟性のある双方向通信の実現、通話中断率の低減を可能にする。第三世代移動通信システムを利用すれば、ユーザーはＵＥ（ユーザー装置、例えば携帯電話）で映像通話、電話会議、ゲーム、オンライン音楽再生、及び電子メールを楽しむことができる。高速で実時間の情報伝送に頼るこれらの機能を実現させるため、第三世代移動通信テクノロジーについてＨＳＤＰＡ（高速ダウンリンクパケットアクセス）とＨＳＵＰＡ（高速アップリンクパケットアクセス）の両規格が定められている。両規格は、帯域使用率とパケット処理効率の向上、上り・下り伝送の高速化に役立つ。
【０００３】
ＨＳＵＰＡは、システムのアップリンクネットワーク機能を向上させ、誤送データの再送を加速して遅延を解消し、チャンネル品質の良否によって伝送速度を調節する効果がある。このような制御機能を実現させるためには、基地局（ノードＢ）スケジューリング、ＨＡＲＱ（ハイブリッド自動リピート要求）、ソフトハンドオーバー、ショートフレーム伝送などの技術が導入された。ＨＳＵＰＡのパケットアクセスについてはＥ−ＤＣＨ（エンハンスド専用チャンネル）が３ＧＰＰ（第三世代パートナーシッププロジェクト）によって規定されている。Ｅ−ＤＣＨとして、ＨＡＲＱ  ＡＣＫ／ＮＡＣＫ情報、アップリンクスケジューリング情報、制御プレーン情報、及びユーザープレーン情報を伝送するための物理層チャンネルＥ−ＨＩＣＨ、Ｅ−ＲＧＣＨ、Ｅ−ＡＧＣＨ、Ｅ−ＤＰＣＣＨ、Ｅ−ＤＰＤＣＨが新たに導入され、その詳しい定義については３ＧＰＰによるＭＡＣ（媒体アクセス制御）プロトコル規格3GPP TS 25.321 V6.7.0を参照する。
【０００４】
ノードＢスケジューリング技術を基に、基地局はセル内のユーザー端の送信電力、即ちサービンググラント（ＳＧ）を制御することでユーザー端の上り伝送速度を調整することができる。上記ＭＡＣプロトコルの9.2.5.2.1と9.2.5.2.2によれば、ネットワーク端はＥ−ＲＧＣＨ（Ｅ−ＤＣＨ相対グラントチャンネル）とＥ−ＡＧＣＨ（Ｅ−ＤＣＨ絶対グラントチャンネル）を介して相対グラント（ＲＧ）メッセージと絶対グラント（ＡＧ）メッセージをユーザー端に送信し、これでユーザー端の送信電力を制御する。
【０００５】
そのうちＲＧメッセージは状態変数reference ETPR（即ち以前のＳＧ。詳しい定義は上記ＭＡＣプロトコルの3.1.2を参照する）を基準値としてユーザー端のＳＧを調整するものであり、サービング相対グラント（ＳＲＧ）メッセージと非サービング相対グラント（ＮＳＲＧ）メッセージに分けることができる。ＳＲＧメッセージは、上がり伝送サービスを提供するＲＬＳ（無線リンクセット）のうちユーザー端の伝送量を制御する主要基地局（以下、サービング基地局と称する）から出力され、up（引き上げ）、down（引き下げ）、hold（保持）という指令に基づいてユーザー端のＳＧを漸次的に制御し、無線資源の使用効率を向上させる。ＮＳＲＧメッセージは、ユーザー端伝送量を制御する主要基地局以外の隣接基地局（以下、非サービング基地局と称する）から出力され、ユーザー端のＳＧを調整してシステム過負荷を防止するものであり、down（引き下げ）、hold（保持）という指令を含む。
【０００６】
一方、ＡＧメッセージはユーザー端の伝送電力値を直接調整するものであり、主要ＡＧメッセージと副次ＡＧメッセージに分けることができる。基地局は主要ＡＧメッセージでセル内特定ユーザー端の上り伝送に用いる資源を制御し、副次ＡＧメッセージで同じグループに属するユーザー端の上り伝送に用いる資源を節減し、所要の信号伝送を減少させる。ＡＧメッセージは、ユーザー端の次回伝送に用いる伝送資源量を示すＡＧ値フィールドと、ＨＡＲＱ（ハイブリッド自動リピート要求）プロセスの起動／終了が単一またはすべてのＨＡＲＱプロセスに及ぶかを示す範囲フィールドを含む。
【０００７】
上記ＭＡＣプロトコルによれば、１ＴＴＩ（伝送時間間隔）において、downを示すＮＳＲＧメッセージがあり、かつユーザー端のＳＧが０（Zero_Grant）でない場合では、ユーザー端は現在のＳＧ（Ｂ）と、以前のＳＧ（Ｃ）をＲＧメッセージ（up、down、hold）に基づいて変更して得たＳＧ（Ｄ）のうちの最小値を、そのＳＧ（Ａ）とする。言い換えれば、ＡはＢとＤのうちの最小値であり、ＤはＲＧメッセージに基づいてＣを変更して得た値である。このＡは後にユーザー端の最大ＳＧと設定される。最後に、ＮＳＲＧタイマーが起動されていなければそれを起動し、既に起動された場合は再起動する。それに対して、１ＴＴＩにおいて、downを示すＮＳＲＧメッセージがなく、かつＮＳＲＧタイマーが満了していない場合は、最大ＳＧと現在ＳＧのうち最小値をユーザー端のＳＧと設定する。
【０００８】
しかし、上記方法は特定の場合では無線資源の浪費とシステム過負荷をもたらしかねない。図１と図２を参照する。図１と図２はユーザー端のＳＧ更新に起因する無線資源の浪費とシステム過負荷を示す。そのうちＳＧはユーザー端のサービンググラントを示し、ＳＲＧはサービング相対グラントメッセージを示し、ＮＳＲＧは非サービング相対グラントメッセージを示し、Zero_Grantはゼログラントを示し、HARQ_RTTはＨＡＲＱプロセスのラウンドトリップ時間（即ち伝送時間間隔ＴＴＩ）を示す。
【０００９】
図１を参照する。ユーザー端の初期ＳＧはａ４である。時点Ｔａ１にユーザー端のＳＧをａ４からａ１に切り替える（ａ１＞Zero_Grant）ように指示するＡＧメッセージやＳＲＧメッセージを受信すれば、ユーザー端はそのＳＧをａ４からａ１に切り替える。時点Ｔａ２にdownを示すＮＳＲＧメッセージを受信すれば、ＳＧは０（Zero_Grant）ではないため、ユーザー端は現在ＳＧ（ａ１）と、以前のＳＧ（ａ４）を一桁下げた（downを示すＮＳＲＧメッセージに基づく）結果（ａ３）のうちの最小値をＳＧとする。この場合、ａ１はａ３より小さいため、時点Ｔａ２にはユーザー端はａ１をそのＳＧとして設定するとともに、ａ１をＭＳＧ（最大ＳＧ）とする。同時に、ＮＳＲＧタイマー（タイマー時間はHARQ_RTT、満了時点はＴａ４）は起動される。
【００１０】
その後、次のＴＴＩ（Ｔａ２〜Ｔａ４）のうち時点Ｔａ３にユーザー端のＳＧをａ１からａ２に引き上げるように指示するＡＧメッセージまたはＳＲＧメッセージを受信すれば、このＴＴＩにはdownを示すＮＳＲＧメッセージがなく、ＮＳＲＧタイマーも満了していないため、ユーザー端はＭＳＧ（ａ１）と現在ＳＧ（ａ２）のうちの最小値をそのＳＧとする。この場合、ａ１はａ２より小さいため、時点Ｔａ３のユーザー端ＳＧはａ１のままとなる。言い換えれば、従来の技術では、時点Ｔａ３にＳＧの引き上げを指示するＡＧメッセージやＳＲＧメッセージを受信すると、ユーザー端はそのＳＧを一旦ａ２に引き上げ、またすぐＭＳＧを超えたａ２をａ１に戻すしかない。したがって、従来のＳＧ更新では、１ＴＴＩにおいてdownを示すＮＳＲＧメッセージがなく、しかもＮＳＲＧタイマーが満了していなければ、サービング基地局はＡＧメッセージやＳＲＧメッセージでユーザー端のＳＧを引き上げることができず、ＳＧの引き上げはＮＳＲＧタイマーの満了を待たなければならない。
【００１１】
次に図２を参照する。ユーザー端の初期ＳＧはｂ２である。時点Ｔｂ１にユーザー端のＳＧをｂ２からZero_Grantに切り替えるように指示するＡＧメッセージやＳＲＧメッセージを受信すれば、ユーザー端はそのＳＧをｂ２からZero_Grantに切り替える。時点Ｔｂ２にユーザー端のＳＧをｂ２からｂ１に引き下げて過負荷を防止するように指示するdownのＮＳＲＧメッセージを受信すれば、ＳＧは０（Zero_Grant）であるため、ユーザー端はこのＮＳＲＧメッセージを無視し、ＭＳＧを更新せず、ＮＳＲＧタイマーを起動／再起動しない。この場合、ＭＳＧは前に設定した値（例えば前に設定したＭＳＧの値がｂ４であれば、それを維持する）のままとなる。換言すれば、ＳＧが０（Zero_Grant）となれば、ＮＳＲＧメッセージはユーザー端の動作を制御することができなくなる。
【００１２】
その後、時点Ｔｂ３にユーザー端のＳＧをｂ３（ｂ３＞ｂ１）に引き上げるように指示するＡＧメッセージやＳＲＧメッセージを受信すれば、ＭＳＧはｂ４のままであるため、ユーザー端はＳＧをｂ３に引き上げる。そうすると、システムの過負荷（ｂ１からｂ３）によりデータ伝送は正常に実行できなくなる。
【００１３】
したがって、従来のＳＧ更新は無線資源の浪費とシステム過負荷を招きかねない。
【発明の開示】
【発明が解決しようとする課題】
【００１４】
本発明は上記問題を解決するため、無線通信システムにおいてサービンググラントを設定する方法及び装置を提供することを課題とする。
【課題を解決するための手段】
【００１５】
本発明は、無線通信システムのユーザー端においてサービンググラント（ＳＧ）を設定する方法を提供する。該方法は、非サービング相対グラント（ＮＳＲＧ）メッセージを受信するときに最大ＳＧを定め、最大ＳＧに基づいてＳＧを更新するステップからなる。
【００１６】
本発明は更に、無線通信システムにおいてＳＧを正確に設定し、無線資源の浪費とシステム過負荷を防止する通信装置を提供する。該装置は、通信装置の機能を実現させる制御回路と、制御回路の中に設けられ、プログラムコードを実行して制御回路を制御する中央処理装置（ＣＰＵ）と、制御回路の中でＣＰＵと結合されるように設けられ、プログラムコードを保存するための保存装置とを含む。該プログラムコードは、非サービング相対グラント（ＮＳＲＧ）メッセージを受信するときに最大ＳＧを定め、最大ＳＧに基づいてＳＧを更新するステップを含む。
【発明の効果】
【００１７】
本発明は最大ＳＧを判断してからＳＧを更新することで、無線資源の浪費とシステム過負荷を防止する。
【発明を実施するための最良の形態】
【００１８】
かかる方法及び装置の特徴を詳述するために、具体的な実施例を挙げ、図示を参照して以下に説明する。
【００１９】
図３を参照する。図３は無線通信システムの無線通信装置１００のブロック図である。説明を簡素化するため、図３は無線通信装置１００の入力装置１０２、出力装置１０４、制御回路１０６、ＣＰＵ（中央処理装置）１０８、保存装置１１０、プログラムコード１１２及びトランシーバー１１４のみ示す。無線通信装置１００において、制御回路１０６はＣＰＵ１０８で保存装置１１０に保存されるプログラムコード１１２を実行し、無線通信装置１００の動作を制御する。制御回路１０６は入力装置１０２（例えばキーボード）を介してユーザーが入力した信号を受信し、出力装置１０４（スクリーン、スピーカーなど）を介して映像、音声などの信号を出力する。無線信号を受発信するトランシーバー１１４は受信した信号を制御回路１０６に送信し、または制御回路１０６による信号を無線で出力する。言い換えれば、通信プロトコルに当てると、トランシーバー１１４は第一層の一部としてみなすことができ、制御回路１０６は第二層と第三層の機能を実現するものである。無線通信装置１００は望ましくは、第三世代移動通信システムに用いられる。
【００２０】
図４を参照する。図４は図３に示すプログラムコード１１２を表す説明図である。アプリケーション層２００と、第三層インターフェイス２０２と、第二層インターフェイス２０６からなるプログラムコード１１２は、第一層インターフェイス２１８と接続されている。第二層インターフェイス２０６はＲＬＣ（無線リンク制御）エンティティー２２４とＭＡＣ（媒体アクセス制御）エンティティー２２６という副層を含む。ＲＬＣエンティティー２２４は伝送品質によって伝送データや制御指令に対して、分割、再組み立て、連結、パディング、再送、暗号化、シーケンスチェック、重複検出などの処理を行う。ＭＡＣエンティティー２２６は第三層インターフェイス（ＲＲＣ層、無線資源制御層）２０２の無線資源配分指令に従って、ＲＬＣエンティティー２２４の複数の論理チャンネルから受信したパケットを一般、共通または専用チャンネルに対応させ、チャンネルマッピング、マルチプレクシング、伝送形式選択、ランダムアクセス制御などのプロセスを実行する。
【００２１】
ＨＳＵＰＡ方式の応用では、ＭＡＣエンティティー２２６はネットワーク端から出力されたＮＳＲＧメッセージに基づいて無線通信装置１００の送信電力、即ちサービンググラント（ＳＧ）を調整し、システム過負荷を防止することができる。それに鑑みて、本発明はＳＧを適切に設定して無線資源の浪費やシステム過負荷を防止するＳＧ設定プログラムコード２２０を提供する。図５を参照する。図５は本発明による方法５０のフローチャートである。下記方法５０は無線通信システムのユーザー端でのＳＧ設定に用いられ、ＳＧ設定プログラム２２０としてコンパイルすることができる。
ステップ５００：開始。
【００２２】
ステップ５０２：ＮＳＲＧメッセージを受信するときに最大ＳＧを定める。
【００２３】
ステップ５０４：最大ＳＧに基づいてＳＧを更新する。
【００２４】
ステップ５０６：終了。
以上のとおり、本発明は無線資源の浪費とシステム過負荷を防止するため、ユーザー端の最大ＳＧを設定してからユーザー端のＳＧを更新する。言い換えれば、本発明はユーザー端のＳＧが０（Zero_Grant）かどうかにかかわらず、ユーザー端でＮＳＲＧメッセージを受信すると、最大ＳＧを判断してからＳＧを更新する。その基準値としてはreference_ETPRが望ましい。
【００２５】
上記ステップ５０２は、ＮＳＲＧメッセージと上記基準値に基づいて最大ＳＧを定めることが望ましい。詳しく言えば、本発明はＮＳＲＧメッセージと上記基準値に基づいてＳＧ調整結果を決定してから、このＳＧ調整値に基づいて最大ＳＧを定める。言い換えれば、ＮＳＲＧメッセージを受信すると、本発明はＮＳＲＧメッセージと基準値reference_ETPRに基づいてＳＧ調整結果を決定し、このＳＧ調整結果を最大ＳＧとする。
【００２６】
また、上記ステップ５０２は、ＮＳＲＧタイマーが動作する間に現在の最大ＳＧ、ＮＳＲＧメッセージ及び基準値に基づいて最大ＳＧを定めることが望ましい。詳しく言えば、本発明はＮＳＲＧメッセージと基準値に基づいてＳＧ調整結果を決定してから、このＳＧ調整結果を現在の最大ＳＧと比較し、その中の最小値を最大ＳＧとする。言い換えれば、ＮＳＲＧメッセージを受信すると、本発明はＮＳＲＧメッセージと基準値reference_ETPRに基づいてＳＧ調整結果を決定し、このＳＧ調整結果と現在の最大ＳＧのうちの最小値を最大ＳＧとする。
【００２７】
上記ステップ５０４は、最大ＳＧと現在ＳＧのうちの最小値をＳＧとしてＳＧ更新を実行することが望ましい。
【００２８】
上記方法５０は無線資源の浪費とシステム過負荷を防止できる。図６から図８を参照する。図６から図８は本発明によるユーザー端のＳＧ更新を示す説明図であり、所用の記号は図１と図２に示すものと一致する。
【００２９】
図６を参照する。ユーザー端の初期ＳＧはｃ４である。時点Ｔｃ１にユーザー端のＳＧをｃ４からｃ１に切り替えるように指示するＡＧメッセージやＳＲＧメッセージを受信すれば、ユーザー端はそのＳＧをｃ４からｃ１に切り替える。時点Ｔｃ２にdownを示すＮＳＲＧメッセージを受信すれば、ｃ１が０（Zero_Grant）かどうかにかかわらず、本発明はＳＧ調整結果ｃ３（ｃ４から所定値を引いた結果）に基づいて最大ＳＧ（ＭＳＧ）を設定し（即ちｃ３をＭＳＧとする）、ＭＳＧ（ｃ３）と現在ＳＧ（ｃ１）のうちの最小値（即ちｃ１）をユーザー端のＳＧとしてＳＧ更新を行う。同時に、ＮＳＲＧタイマー（タイマー時間はHARQ_RTT、満了時点はＴｃ４）は起動される。
【００３０】
その後、次のＴＴＩ（Ｔｃ２〜Ｔｃ４）のうち時点Ｔｃ３にユーザー端のＳＧをｃ１からｃ２に引き上げるように指示するＡＧメッセージまたはＳＲＧメッセージを受信すれば、このＴＴＩにはdownを示すＮＳＲＧメッセージがなく、ＮＳＲＧタイマーも満了していないため、本発明は最大ＭＳＧ（ｃ３）と現在ＳＧ（ｃ２）のうちの最小値をユーザー端のＳＧとする。この場合、最大ＳＧはｃ３（ｃ２より大きい）であるため、サービング基地局は支障なくユーザー端のＳＧをｃ１からｃ２に引き上げることができる。
【００３１】
次に図７を参照する。ユーザー端の初期ＳＧはｄ２である。時点Ｔｄ１にユーザー端のＳＧをｄ２からZero_Grantに切り替えるように指示するＡＧメッセージやＳＲＧメッセージを受信すれば、ユーザー端はそのＳＧをｄ２からZero_Grantに切り替える。時点Ｔｄ２にユーザー端のＳＧをｄ２からｄ１に引き下げて過負荷を防止するように指示するdownのＮＳＲＧメッセージを受信すれば、現在ＳＧが０（Zero_Grant）であるにかかわらず、本発明はｄ１を最大ＳＧ（ＭＳＧ）としてＭＳＧ更新を行う。次に時点Ｔｄ３にユーザー端のＳＧをｄ３（ｄ３＞ｄ１）に引き上げるように指示するＡＧメッセージやＳＲＧメッセージを受信すれば、ＭＳＧはｄ１に更新されたため、ユーザー端のＳＧはｄ１までしか引き上げることができず、システム過負荷は回避できる。
【００３２】
次に図８を参照する。ユーザー端の初期ＳＧはｅ２である。時点Ｔｅ１にユーザー端のＳＧをｅ２からｅ４に切り替えるように指示するＡＧメッセージやＳＲＧメッセージを受信すれば、ユーザー端はそのＳＧをｅ２からｅ４に切り替える。時点Ｔｅ２にdownを示すＮＳＲＧメッセージ（ＮＳＲＧ１）を受信すれば、本発明はＳＧ調整結果ｅ１（ｅ２から所定値を引いた結果）に基づいて最大ＳＧ（ＭＳＧ）を設定し（即ちｅ１をＭＳＧとする）、最大ＳＧ（ｅ１）と現在ＳＧ（ｅ１）のうちの最小値（即ちｅ１）をユーザー端のＳＧとしてＳＧ更新を行う。同時に、ＮＳＲＧタイマー（タイマー時間はHARQ_RTT、満了時点はＴｅ５）は起動される。
【００３３】
その後、次のＴＴＩ（Ｔｅ２〜Ｔｅ５）のうち時点Ｔｅ３にdownを示すＳＲＧメッセージを受信すれば、ＮＳＲＧタイマーが動作しているため、本発明は別の実施例は現在の最大ＳＧ（ｅ１）とＳＧ調整結果ｅ３（ｅ４から所定値を引いた結果）に基づいてｅ１を最大ＳＧとして設定し、最大ＳＧ（ｅ１）と現在ＳＧ（ｅ１）のうちの最小値（即ちｅ１）をユーザー端のＳＧとする。そうすれば、時点Ｔｅ４にユーザー端のＳＧをｅ１からそれより大きい値（例えばｅ３）に引き上げるように指示するＡＧメッセージやＳＲＧメッセージを受信しても、最大ＳＧはｅ１であるため、ユーザー端のＳＧはｅ１より高くならず、システム過負荷は回避できる。
【００３４】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【産業上の利用可能性】
【００３５】
本発明は従来の動作条件を変えたのみであり、当然実施可能である。
【図面の簡単な説明】
【００３６】
【図１】従来のユーザー端ＳＧ更新に起因する無線資源の浪費とシステム過負荷を示す第一説明図である。
【図２】従来のユーザー端ＳＧ更新に起因する無線資源の浪費とシステム過負荷を示す第二説明図である。
【図３】無線通信装置のブロック図である。
【図４】図３に示すプログラムコードを表す説明図である。
【図５】本発明による方法のフローチャートである。
【図６】本発明によるユーザー端のＳＧ更新を示す第一説明図である。
【図７】本発明によるユーザー端のＳＧ更新を示す第二説明図である。
【図８】本発明によるユーザー端のＳＧ更新を示す第三説明図である。
【符号の説明】
【００３７】
１００        無線通信装置
１０２        入力装置
１０４        出力装置
１０６        制御回路
１０８        ＣＰＵ
１１０        保存装置
１１２        プログラムコード
１１４        トランシーバー
２００        アプリケーション層
２０２        第三層インターフェイス
２０６        第二層インターフェイス
２１８        第一層インターフェイス
２２０        ＳＧ設定プログラムコード
２２４        ＲＬＣエンティティー
２２６        ＭＡＣエンティティー
【図１】
2008072723.tif 000003
【図２】
2008072723.tif 000004
【図３】
2008072723.tif 000005
【図４】
2008072723.tif 000006
【図５】
2008072723.tif 000007
【図６】
2008072723.tif 000008
【図７】
2008072723.tif 000009
【図８】
2008072723.tif 000010